(57)【特許請求の範囲】
【請求項１】
入力する画像信号の構成がＫ画素×Ｌ画素（Ｋ，Ｌは正の整数で変数）からなり、出力画像信号がＭ画素×Ｎ画素（Ｍ，Ｎは正の整数で定数、Ｋ＞Ｍ，Ｌ＞Ｎ）からなる画像表示制御装置において、
水平方向に隣接する４画素に対して所定画素Ａと隣接する画素Ｂの平均値Ｖを演算する第１の演算手段と、
前記画素Ｂに隣接する画素Ｃと、前記画素Ｃと隣接する画素Ｄの平均値Ｗを演算する第２の演算手段と、
前記画素Ａと前記平均値Ｖとを所定モードに応じて選択する第１の選択手段と、
前記画素Ｃと前記平均値Ｗとを前記所定モードに応じて選択する第２の選択手段と、
前記第１の選択手段により選択された画素Ｘと前記第２の選択手段により選択された画素Ｙとの平均値Ｚを演算する第３の演算手段と、
前記画素Ｘと前記画素Ｚとを前記所定モードに応じて選択する第３の選択手段とを備え、
前記第１、第２、第３の選択手段の選択により入力画像信号を制御して出力画像信号に変換するようにしたことを特徴とする画像表示制御装置。
【請求項２】
入力する画像信号の構成がＫ画素×Ｌ画素（Ｋ，Ｌは正の整数で変数）からなり、出力画像信号がＭ画素×Ｎ画素（Ｍ，Ｎは正の整数で定数、Ｋ＞Ｍ，Ｌ＞Ｎ）からなる画像表示制御装置において、
水平方向に隣接する４画素に対して所定画素Ａと隣接する画素Ｂの平均値Ｖを演算する第１の演算手段と、
前記画素Ｂに隣接する画素Ｃと、前記画素Ｃと隣接する画素Ｄの平均値Ｗを演算する第２の演算手段と、
前記画素Ａと前記平均値Ｖとを所定モードに応じて選択する第１の選択手段と、
前記画素Ｃと前記平均値Ｗとを前記所定モードに応じて選択する第２の選択手段と、
前記第１の選択手段により選択された画素Ｘと前記第２の選択手段により選択された画素Ｙとの平均値Ｚを演算する第３の演算手段と、
前記画素Ｘと前記画素Ｚとを前記所定モードに応じて選択する第３の選択手段とを備え、
かつ、入力した所定画素Ａを垂直方向に１ライン遅延させる遅延手段と、
前記遅延された画素ＬＡと次のラインで前記所定画素Ａに隣接して入力した画素Ａ′との平均値Ｆを演算する第４の演算手段と、
前記所定画素Ａと前記平均値Ｆとを所定モードに応じて選択する第４の選択手段とを備え、
前記第１、第２、第３、第４の選択手段の選択により入力画像信号を制御して出力画像信号に変換するようにしたことを特徴とする画像表示制御装置。
【発明の詳細な説明】
【０００１】
【発明の属する技術分野】
本発明は、入力される画像信号の水平・垂直の画素構成が、出力する画像信号の水平・垂直の画素構成よりも大きいときに、出力画像信号の水平・垂直の画素構成を表示装置に適合させた所定の大きさとなるように制御する画像表示制御装置に関するものである。
【０００２】
【従来の技術】
液晶表示装置などのように表示する部分の画素構成が一定となる表示装置において、同一画素構成からなる画像信号が入力された場合には問題はないが、表示装置の画素構成よりも水平・垂直が大きな画素構成からなる画像信号が入力された場合には、表示しきれない部分が発生する。
【０００３】
この場合、入力画像信号と出力画像信号の構成比が整数のときには、単純に間引きをして表示することができる。例えば、図５に示すように、水平方向５００画素の表示装置に、入力画像信号の水平画素数が１０００画素の画像を入力する場合には、入力画像信号の画素を一つおきに間引きすることで、水平方向の全体を表示することが可能である。すなわち、２対１に縮小することにより表示することができる。また、垂直方向についても、水平方向と同様な倍率で間引きを行い表示することができる。
【０００４】
【発明が解決しようとする課題】
上記のような入出力関係の場合には特に問題はないが、入力画像信号と表示装置の表示画像の画素数の割合が近接している場合には、単純に整数の倍率で表示すると、表示領域を有効に活用できず、また表示画像も見ずらくなる。
【０００５】
例を挙げて説明すると、入力画像信号の水平画素数が７６８画素で、表示装置の水平画素数が６４０画素とすると、その比率は１．２対１となって、そのまま表示すると約２割は表示することができない。そこで、上記のように、入力画像信号の水平画素数を一つおきに間引いて２分の１にすると、水平方向の画素数は３８４画素となって、画素数が大幅に減り表示領域を有効に活用することができないことになる。また、入力画像信号の水平画素７６８のうち中心部の３８４画素に重要な情報があり、両サイドの１９２画素についてはあまり重要でないデータがある場合でも、重要なデータも、重要でないデータもそれぞれ２部分の１にされるため、表示領域を有効に活用できない。このことは、垂直方向についても同様である。
【０００６】
本発明は、上記のような課題を解決するためになされたもので、その目的とするところは、入力画像信号の縮小倍率が整数比でない場合でも有効に表示が可能で、かつ表示装置の表示領域内で重要情報を有効に表示することのできる画像表示制御装置を提供することにある。
【０００７】
【課題を解決するための手段】
上述課題を解決するために、本発明は、次のような手段を採用した。
すなわち、請求項１に記載の画像表示制御装置は、入力する画像信号の構成がＫ画素×Ｌ画素（Ｋ，Ｌは正の整数で変数）からなり、出力画像信号がＭ画素×Ｎ画素（Ｍ，Ｎは正の整数で定数、Ｋ＞Ｍ，Ｌ＞Ｎ）からなる画像表示制御装置において、水平方向に隣接する４画素に対して所定画素Ａと隣接する画素Ｂの平均値Ｖを演算する第１の演算手段と、前記画素Ｂに隣接する画素Ｃと、前記画素Ｃと隣接する画素Ｄの平均値Ｗを演算する第２の演算手段と、前記画素Ａと前記平均値Ｖとを所定モードに応じて選択する第１の選択手段と、前記画素Ｃと前記平均値Ｗとを前記所定モードに応じて選択する第２の選択手段と、前記第１の選択手段により選択された画素Ｘと前記第２の選択手段により選択された画素Ｙとの平均値Ｚを演算する第３の演算手段と、前記画素Ｘと前記画素Ｚとを前記所定モードに応じて選択する第３の選択手段とを備え、前記第１、第２、第３の選択手段の選択により入力画像信号を制御して出力画像信号に変換するようにしたことを特徴としている。
【０００８】
このような構成にした場合、入力された水平方向に隣接する４画素Ａ，Ｂ，Ｃ，Ｄに対して、第１、第２、第３の選択手段がそれぞれ画素Ａ、画素Ｃ、画素Ｘを選択した場合には、出力画像信号の圧縮倍率は１／１となる。また、例えば第１の選択手段が画素Ｖを選択し、第２、第３の選択手段がそれぞれ画素Ｃ、画素Ｘを選択すると、出力画像信号の圧縮倍率は３／４となる。なお、この場合、第１の選択手段が画素Ａを選択し、第２、第３の選択手段がそれぞれ画素Ｗ、画素Ｘを選択しても、同様に出力画像信号の圧縮倍率は３／４となり、入力画素のどの部分の圧縮を行うかは、適宜選択することができる。
【０００９】
また、第１の選択手段が画素Ｖを、第２の選択手段が画素Ｗを選択し、第３の選択手段が画素Ｘを選択すると、出力画像信号の圧縮倍率は１／２になる。さらに、第１の選択手段が画素Ｖを、第２の選択手段が画素Ｗを、第３の選択手段が画素Ｚを選択すると、出力画像信号の圧縮倍率は１／４になる。なお、これらの選択は、ＭＰＵによる外部制御によって行われる。
【００１２】
請求項２に記載の画像表示制御装置は、入力する画像信号の構成がＫ画素×Ｌ画素（Ｋ，Ｌは正の整数で変数）からなり、出力画像信号がＭ画素×Ｎ画素（Ｍ，Ｎは正の整数で定数、Ｋ＞Ｍ，Ｌ＞Ｎ）からなる画像表示制御装置において、
水平方向に隣接する４画素に対して所定画素Ａと隣接する画素Ｂの平均値Ｖを演算する第１の演算手段と、前記画素Ｂに隣接する画素Ｃと、前記画素Ｃと隣接する画素Ｄの平均値Ｗを演算する第２の演算手段と、前記画素Ａと前記平均値Ｖとを所定モードに応じて選択する第１の選択手段と、前記画素Ｃと前記平均値Ｗとを前記所定モードに応じて選択する第２の選択手段と、前記第１の選択手段により選択された画素Ｘと前記第２の選択手段により選択された画素Ｙとの平均値Ｚを演算する第３の演算手段と、前記画素Ｘと前記画素Ｚとを前記所定モードに応じて選択する第３の選択手段とを備え、かつ、入力した所定画素Ａを垂直方向に１ライン遅延させる遅延手段と、前記遅延された画素ＬＡと次のラインで前記所定画素Ａ隣接して入力した画素Ａ′との平均値Ｆを演算する第４の演算手段と、前記所定画素Ａと前記平均値Ｆとを所定モードに応じて選択する第４の選択手段とを備え、前記第４の選択手段の選択により該当する操作ラインの入力画像信
【００１３】
このように構成したことにより、水平方向も垂直方向も表示装置に合わせて同時に圧縮することが可能となる。
【００１４】
【発明の実施の形態】
以下、本発明の実施の形態について、図面を参照して説明する。
図１は、この発明に係る画像表示装置の実施の形態の一例をブロック図として示したものである。このブロック図は、入力画像信号の水平方向に隣接する４画素Ａ，Ｂ，Ｃ，Ｄを制御して出力画像信号とする回路で、図においてＩＡ、ＩＢ、ＩＣ、ＩＤは画素Ａ、画素Ｂ、画素Ｃ、画素Ｄの入力端子である。また、５は画素Ａと画素Ｂとの平均値Ｖを演算する第１の演算手段であり、６は画素Ｃと画素Ｄとの平均値Ｗを演算する第２の演算手段である。
【００１５】
また、図において、８は画素Ａと、第１の演算手段５により平均値として出力された画素Ｖのいずれかを選択して画素Ｘとして出力する第１の選択手段であり、９は画素Ｃと、第２の演算手段６により平均値として出力された画素Ｗのいずれかを選択して画素Ｙとして出力する第２の選択手段である。
【００１６】
７は第１の選択手段８により選択され出力された画素Ｘと、第２の選択手段９により選択され出力された画素Ｙとの平均値Ｚを演算する第３の演算手段であり、１０は第１の選択手段８により選択され出力された画素Ｘと第３の演算手段７の出力である画素Ｚのいずれかを選択する第３の選択手段である。
【００１７】
第１の選択手段８による画素の選択は、内部のスイッチＳ１によっておこなわれ、第２の選択手段９による画素の選択は、内部のスイッチＳ２によっておこなわれ、第３の選択手段１０の画素の選択は、内部のスイッチＳ３によっておこなわれる。これらのスイッチＳ１，Ｓ２，Ｓ３の制御は図示しないＭＰＵによって外部から行われている。
【００１８】
また、図において、ＰＡ、ＰＢ、ＰＣ、ＰＤは出力端子で、ＰＡは第３の選択手段１０により選択された画素を出力する端子、ＰＢは画素Ｂを直接出力する端子、ＰＣは第２の選択手段９により選択された画素を出力する端子、ＰＣは画素Ｄを直接出力する端子である。なお、図示は省略されているが、各演算手段５、６、７内には、先に入力した画素を、後に入力する画素が入力する時まで保持する機構が含まれている。
【００１９】
水平方向の回路は、上記のように構成されているので、入力された水平方向に隣接する４画素Ａ，Ｂ，Ｃ，Ｄに対して、第１、第２、第３の選択手段８、９、１０のスイッチＳ１、Ｓ２、Ｓ３がそれぞれ０に制御されているモード１のとき、出力端子ＰＡには画素Ａが、出力端子ＰＢには画素Ｂが、出力端子ＰＣには画素Ｃが、出力端子ＰＤには画素Ｄが出力され、出力画像信号の圧縮倍率は１／１となる。
【００２０】
また、例えば、第１の選択手段８のスイッチＳ１が０に、第２の選択手段９のスイッチＳ２が１に、第３の選択手段１０のスイッチＳ３が０に制御されているモード２のとき、出力端子ＰＡには画素Ａが、出力端子ＰＢには画素Ｂが、出力端子ＰＣには画素（Ｃ＋Ｄ）／２が、出力端子ＰＤには画素Ｄ画出力され、出力画像信号の圧縮倍率は３／４となる。なお、ＰＤの出力は、この場合データ無効として処理されるようになっている。
【００２１】
また、第１の選択手段８のスイッチＳ１が１に、第２の選択手段９のスイッチＳ２が１に、第３の選択手段１０のスイッチＳ３が０に制御されているモード３のとき、出力端子ＰＡには画素（Ａ＋Ｂ）／２が、出力端子ＰＢには画素Ｂが、出力端子ＰＣには画素（Ｃ＋Ｄ）／２が、出力端子ＰＤには画素Ｄ画出力され、出力画像信号の圧縮倍率は１／２となる。なお、ＰＢとＰＤの出力は、この場合データ無効として処理されるようになっている。
【００２２】
さらに、第１の選択手段８のスイッチＳ１が１に、第２の選択手段９のスイッチＳ２が１に、第３の選択手段１０のスイッチＳ３が１に制御されているモード４のとき、出力端子ＰＡには画素（Ａ＋Ｂ＋Ｃ＋Ｄ）／４が、出力端子ＰＢには画素Ｂが、出力端子ＰＣには画素（Ｃ＋Ｄ）／２が、出力端子ＰＤには画素Ｄ画出力され、出力画像信号の圧縮倍率は１／４となる。なお、ＰＢ、ＰＣ、ＰＤの出力は、この場合データ無効として処理されるようになっている。これらの関係は表１に示されている。
【００２３】
【表１】
0003645965.tif 000002
【００２４】
これらのモード１，２，３，４は、ＭＰＵが入力画像信号とは別の同期信号周波数を検知して入力水平画素数を求め、求められた画素数と表示装置の画素数との比較により圧縮倍率を処理ブロックごとに決定する。そして、決定された圧縮倍率によってモード設定信号を各選択手段８、９、１０に送る。例えば、圧縮倍率３／４が選択されると、入力画像信号の水平画素数が１０２４のとき、図３に示すように、出力画像信号の水平画素数は７６８となって、液晶表示装置の水平画素数が７６８の場合に水平画像の全画面を表示することが可能となる。
【００２５】
また、入力画面の中心部に重要な情報がある場合に、操作により、画面の左右端部それぞれ１／４を例えば２分の１に圧縮して、中心部をそのまま表示させる方法も採用することができる。あるいは、画面の左右端部それぞれ１／４を例えば２分の１に圧縮して、中心部を４分の３に圧縮すると、入力画像信号の水平画素数１０２４が出力画像信号の水平画素数６４０となって、パソコン等の一般的な液晶表示装置に全画面を表示させることができる。
【００２６】
次に、垂直方向の圧縮について説明する。図２は、入力画像信号を垂直方向に圧縮する回路をブロック図として示したものである。図２において、ＩＡは画素Ａの入力端子である。なお、ここで画素Ａは例示的に示したもので、実際には４画素Ａ，Ｂ，Ｃ，Ｄが１ブロックとなって連続的に入力してくる。
【００２７】
図において、１７は入力した画素Ａを水平走査ラインを垂直方向に１ライン遅延させる遅延手段で、１８は該遅延手段１７によって遅延された画素ＬＡと、画素Ａより１ライン後の隣接する画素Ａ′との平均値Ｆ（（ＬＡ＋Ａ′）／２）を演算する第４の演算手段である。そして、１９は画素Ａと、第４の演算手段１８により平均値として出力された画素Ｆのいずれかを選択して出力する第４の選択手段であり、その選択は内部のスイッチＳ４によっておこなわれる。このスイッチＳ４の制御は図示しないＭＰＵによって外部から行われている。なお、０Ａは出力端子である。
【００２８】
前記第４の選択手段１９内のスイッチＳ４の制御は、１水平走査ラインごとに行われ、例えば、４ラインを制御ブロックとすると、各演算ラインに対してスイッチＳ４が０に制御されているモード１のとき、各演算ラインの素直に隣接する入力画像信号をＡ１，Ａ２，Ａ３，Ａ４とすると、そのままＡ１，Ａ２，Ａ３，Ａ４として出力され、圧縮倍率は１／１になる。
【００２９】
また、例えば、第１、第２、第３演算ラインに対してスイッチＳ４は０に制御され、第４の演算ラインのときスイッチＳ４が１に制御されるモード２のとき、各演算ラインの入力画像信号Ａ１，Ａ２，Ａ３，Ａ４のうち、第１、第２、第３演算ラインの出力はそのままで、第４演算ラインの出力は（Ａ４＋ＬＡ３）／２となり、出力画像信号の圧縮倍率は３／４となる。なお、第３演算ラインの出力は、この場合データ無効として処理されるようになっている。
【００３０】
また、第１、第３演算ラインに対してスイッチＳ４は０に制御され、第２、第４演算ラインに対するスイッチＳ４が１に制御されるモード３のとき、各演算ラインの入力画像信号Ａ１，Ａ２，Ａ３，Ａ４のうち、第１、第３演算ラインの出力はそのままで、第２、第４演算ラインの出力はそれぞれ（Ａ２＋ＬＡ１）／２、（Ａ４＋ＬＡ３）／２となり、出力画像信号の圧縮倍率は１／２となる。なお、第１、第３演算ラインの出力は、この場合データ無効として処理されるようになっている。
【００３１】
さらに、第１演算ラインに対してスイッチＳ４は０に制御され、第２、第３、第４演算ラインに対するスイッチＳ４が１に制御されるモード４のとき、各演算ラインの入力画像信号Ａ１，Ａ２，Ａ３，Ａ４のうち、第１演算ラインの出力はそのままで、第２、第３、第４演算ラインの出力はそれぞれ（Ａ２＋ＬＡ１）／２、（Ａ３＋ＬＡ２）／２、（Ａ４＋ＬＡ３）／２となり、出力画像信号の圧縮倍率は１／４となる。なお、第１、第２、第３演算ラインの出力は、この場合データ無効として処理されるようになっている。これらの関係は表２に示されている。
【００３２】
【表２】
0003645965.tif 000003
【００３３】
なお、これらのモードは、ＭＰＵが入力画像信号とは別の同期信号周波数を検知して入力垂直画素数を求め、求められた画素数と表示装置の画素数との比較により圧縮倍率を処理ブロックごとに決定する。そして、決定された圧縮倍率によってモード設定信号を各演算ラインごとに送る。例えば、圧縮倍率３／４が選択されると、入力画像信号の垂直画素数が１０２４のとき、出力画像信号の垂直画素数は７６８となって、液晶表示装置の垂直画素数が７６８の場合に垂直画像の全画面を表示することが可能となる。
【００３４】
また、入力画面の中心部に重要な情報がある場合に、操作により、画面の上下端部それぞれ１／４を例えば２分の１に圧縮して、中心部をそのまま表示させる方法も採用することができる。あるいは、画面の上下端部それぞれ１／４を例えば２分の１に圧縮して、中心部を４分の３に圧縮すると、入力画像信号の垂直画素数１０２４が出力画像信号の垂直画素数６４０となる。
【００３５】
なお、図２に示す回路は、図１に示す回路の前に配置して、垂直方向の制御を行った後で、水平方向の制御を行うようにすることが好ましい。
【００３６】
また、この発明は次のような装置にも利用することができる。すなわち、その装置は、図４に示すように、映像信号源２０の映像を拡大してスクリーンに投射するビデオプロジェクタ２１と、映像信号源２０とプロジェクタ２１との中間にペン入力のできる小型の液晶パネルスクリーンを有するマーカー発生装置２２が設けられているプレゼンテーション装置である。この装置のマーカー発生装置２２に、この発明に係る画像表示制御装置を設けて、ペン入力によって表示された画像の大きさを適宜制御して、映像信号源の映像と合わせることにより、プロジェクタを見ている人に対してわかりやすい画像を提供することができる。
【００３７】
【発明の効果】
以上説明したように、請求項１に記載の発明によれば、種々の水平画素数を有する入力画像信号を、液晶表示装置のような一定の画素構成を持った表示装置に入力させる場合に、表示装置の構成に合わせた状態に圧縮して表示させることができるので、表示装置の表示領域を有効に活用することができる。また、入力画像信号の構成が表示装置の表示領域よりも極端に大きい場合、従来は全体的に縮小していたのを、その縮小倍率を部分的に変えることができるので、重要な部分の表示を重点的に行うことができ、表示装置の有効活用が図れる。
【００３９】
さらに、請求項２に記載の発明によれば、水平方向も垂直方向も表示装置に合わせて同時に圧縮することができるので、入力画像信号の構成に関わらず、種々の表示構成の表示装置に合わせた状態で画像を表示させることができる。
【図面の簡単な説明】
【図１】本発明の画像表示制御装置の実施の形態の一例を示し、水平方向の制御をする回路のブロック図である。
【図２】本発明の画像表示制御装置の実施の形態の一例を示し、垂直方向の制御をする回路のブロック図である。
【図３】画像の圧縮例を示す図である。
【図４】本発明の画像表示制御装置を利用するプレゼンテーション装置の概略図である。
【図５】従来の画像の圧縮例を示す図である。
【符号の説明】
５    第１の演算手段
６    第２の演算手段
７    第３の演算手段
８    第１の選択手段
９    第２の選択手段
１０    第３の選択手段
１７    遅延手段
１８    第４の演算手段
１９    第４の選択手段
【図１】
0003645965.tif 000004
【図２】
0003645965.tif 000005
【図３】
0003645965.tif 000006
【図４】
0003645965.tif 000007
【図５】
0003645965.tif 000008